(57)【要約】【課題】  所望のズーム機能を選択できる。【解決手段】  撮影装置は変倍レンズ群１０の光学系を用いてズーム処理する光学ズーム処理部２０、一時メモリ６と拡大用メモリ７を利用して画像データをトリミングして補間処理して拡大するデジタルズーム処理部２１およびこれら２つのズーム機能を併用する混合ズーム処理部２２を備える。ユーザが入力部１６を操作して所望のズーム機能を指定すると、制御部１は光学ズーム処理部２０、デジタルズーム処理部２１および混合ズーム処理部２２のうちユーザが指定したズーム機能のための処理部を選択的に起動する。【選択図】        図１
2005341288.tif 000002
【特許請求の範囲】
【請求項１】
それぞれが異なるズーム機能を実施する複数のズーム手段と、
前記複数のズーム手段のうちの所望の前記ズーム手段による前記ズーム機能の実施を指定するために操作される操作部とを備え、
前記複数のズーム手段には、
光学レンズを移動させて焦点距離を変更することで被写体像の撮影倍率を指定倍率に変更する光学ズーム手段と、
撮影して得られた前記被写体像の画像データを処理して前記撮影倍率を前記指定倍率に変更するデジタルズーム手段とが含まれる、撮影装置。
【請求項２】
前記複数のズーム手段には、さらに、
前記光学ズーム手段と前記デジタルズーム手段とを併用して前記撮影倍率を前記指定倍率に変更する混合ズーム手段が含まれる、請求項１に記載の撮影装置。
【請求項３】
所望の前記撮影倍率を指定するために操作される倍率指定部をさらに備えて、
前記混合ズーム手段は、前記倍率指定部により指定された前記所望撮影倍率を用いて前記光学ズーム手段と前記デジタルズーム手段の前記指定倍率をそれぞれ決定することを特徴とする、請求項２に記載の撮影装置。
【請求項４】
それぞれが異なるズーム機能を実施する複数のズーム部のうちの所望の前記ズーム部を、外部からの指示に従い指定するためのズーム機能指定ステップと、
前記ズーム機能指定ステップにより指定された前記所望ズーム部により前記ズーム機能を実施するズーム機能実施ステップとを備えて、
前記複数のズーム部には、
光学レンズを移動させて焦点距離を変更することで被写体像の撮影倍率を指定倍率に変更する光学ズーム部と、
撮影して得られた前記被写体像の画像データを処理して前記撮影倍率を前記指定倍率に変更するデジタルズーム部とが含まれる、ズーム機能制御方法。
【発明の詳細な説明】
【技術分野】
【０００１】
この発明は撮影装置およびズーム機能制御方法に関し、特に、ユーザが複数種類のズーム機能のうちから所望種類のズーム機能を選択することができる撮影装置およびズーム機能制御方法に関する。
【背景技術】
【０００２】
たとえば特許文献１〜３にはズーム制御方法および装置が開示されている。これら文献に開示の技術では、装置は光学ズーム機能と電子ズーム機能を予め備えて、予め設定されている組合せ手順に従いズーム機能を装置側で自動的に切換えていた。
【特許文献１】特開２００２−１８９１６７号公報
【特許文献２】特開２００２−３１４８６８号公報
【特許文献１】特開昭６４−５８１６３号公報
【発明の開示】
【発明が解決しようとする課題】
【０００３】
上述した特許文献１〜３に開示の方法では、装置側が自動的にズーム機能を切換えるようにしているにすぎず、この切換にユーザ側の意思を反映することができなかったので、ユーザの使い勝手に関する自由度は低かった。
【０００４】
それゆえにこの発明の目的は、ユーザの意思を反映することのできるズーム選定機能を有する撮影装置およびズーム機能制御方法を提供することである。
【課題を解決するための手段】
【０００５】
この発明のある局面に従う撮影装置は、それぞれが異なるズーム機能を実施する複数のズーム手段と、前記複数のズーム手段のうちの所望の前記ズーム手段による前記ズーム機能の実施を指定するために操作される操作部とを備え、前記複数のズーム手段には、光学レンズを移動させて焦点距離を変更することで被写体像の撮影倍率を指定倍率に変更する光学ズーム手段と、撮影して得られた前記被写体像の画像データを処理して前記撮影倍率を前記指定倍率に変更するデジタルズーム手段とが含まれる。
【０００６】
したがって、ユーザは操作部を操作して所望のズーム手段を指定することにより、所望ズーム手段によるズーム機能、すなわち光学ズーム機能およびデジタルズーム機能のいずれかを選択的に実施させることができる。その結果、ユーザは所望する種類のズーム機能を選択的に実施する自由を得ることができて、利便性は向上する。
【０００７】
好ましくは、前記複数のズーム手段には、さらに、前記光学ズーム手段と前記デジタルズーム手段とを併用して前記撮影倍率を前記指定倍率に変更する混合ズーム手段が含まれる。
【０００８】
したがって、ユーザは操作部を操作して所望のズーム手段を指定することにより、所望ズーム手段によるズーム機能、すなわち光学ズーム機能、デジタルズーム機能およびこれら両ズーム機能を併用するズーム機能のうちのいずれかを選択的に実施させることができる。
【０００９】
好ましくは、所望の前記撮影倍率を指定するために操作される倍率指定部をさらに備えて、前記混合ズーム手段は、前記倍率指定部により指定された前記所望撮影倍率に基づき前記光学ズーム手段と前記デジタルズーム手段の前記指定倍率をそれぞれ決定する。
【００１０】
したがって、ユーザは倍率指定部を操作して所望する撮影倍率を指定できる。
【００１１】
また、混合ズーム手段は指定された所望撮影倍率を用いて光学ズーム手段とデジタルズーム手段の指定倍率をそれぞれ決定するので、ユーザは混合ズームを指定したとしても併用される光学ズームとデジタルズームについて個々に倍率を指定する必要はなく、利便性に優れる。
【００１２】
この発明の他の局面に従うズーム機能制御方法は、それぞれが異なるズーム機能を実施する複数のズーム部のうちの所望の前記ズーム部を、外部からの指示に従い指定するためのズーム機能指定ステップと、前記ズーム機能指定ステップにより指定された前記所望ズーム部により前記ズーム機能を実施するズーム機能実施ステップとを備えて、前記複数のズーム部には、光学レンズを移動させて焦点距離を変更することで被写体像の撮影倍率を指定倍率に変更する光学ズーム部と、撮影して得られた前記被写体像の画像データを処理して前記撮影倍率を前記指定倍率に変更するデジタルズーム部とが含まれる。
【００１３】
したがって、ユーザは操作部を操作して所望のズーム手段を指定することにより、所望ズーム手段によるズーム機能、すなわち光学ズーム機能およびデジタルズーム機能のいずれかを選択的に実施させることができる。その結果、ユーザは所望する種類のズーム機能を選択的に実施する自由を得ることができて、利便性は向上する。
【発明を実施するための最良の形態】
【００１４】
以下、この発明の実施の形態について図面を参照し説明する。ここでは撮影装置として撮影機能を有する携帯型電話を例示するが、これに限定されず、単なる撮影機能のみを有した装置（例えばデジタルカメラ）であってもよく、また携帯型でなくてもよい。
【００１５】
図１と図２には、この発明の実施の形態に係る携帯型電話の構成が示されて、図３〜図６には本実施の形態に係る処理フローチャートが示される。
【００１６】
図１において撮影機能を有する携帯型電話は、携帯型電話の他の各部を集中的に制御および監視するためのマイクロコンピュータなどからなる制御部１、制御部１において実行されるプログラムまたは参照されるデータを格納するためのＲＯＭ（Read Only Memory）２、およびＲＡＭ（Random Access Memory）３、ＣＣＤ（Charge Coupled Device）４０およびＤＳＰ（Digital Signal Processor）４１を含む撮影部４、撮影して撮影部４から出力された画像データを蓄えておくための画像メモリ５、一時的に画像データなどの各種データを蓄えるための一時メモリ６、画像データを拡大処理するために用いられる拡大用メモリ７、図示のない外部装置と通信するための通信部８およびアンテナ９、被写体を撮影するための光学系に含まれる変倍レンズ群１０、変倍レンズ群１０を駆動して移動させるためのレンズ駆動モータ１１、レンズ駆動モータ１１に対しモータの回転を制御するためのレンズ駆動回路１２、ストロボ１３、ストロボ駆動回路１４、被写体を撮影するために操作されるシャッタボタン１５、各種情報および指示を入力するために操作されるキーやスイッチなどからなる入力部１６、表示のためのＬＣＤ（Liquid Crystal Display）１７およびＬＣＤ１７に表示するためのデータを蓄える表示用メモリ１８、および撮影時にズーム機能によるズーム倍率を指定するために操作されるズームボタン１９を備える。
【００１７】
被写体を撮影するとき、光学系を介してＣＣＤ４０の受光面に結像した被写体からの反射光による像はＣＣＤ４０から画像信号として読出されて、読出された画像信号はＤＳＰ４１においてデジタル処理可能なように処理されて画像データとして出力される。撮影に並行して出力される画像データは表示可能なように表示用メモリ１８に格納されて、ＬＣＤ１７には表示用メモリ１８のデータに基づき画像が表示される。したがって、撮影時に被写体を確認するファインダとしてＬＣＤ１７の表示画面を利用することができる。これにより、最適のアングルまたは撮影倍率になったことをＬＣＤ１７の表示画像で確認したときに、シャッタボタン１５を操作すると、そのとき撮影部４から出力された画像データは画像メモリ５に格納される。
【００１８】
制御部１には、変倍レンズ群１０を用いて光学ズームを機能させるための光学ズーム処理部２０、一時メモリ６および拡大用メモリ７を用いてデジタル方式により電子的にズーム処理するためのデジタルズーム処理部２１および光学ズームとデジタルズームを混合して機能させるための混合ズーム処理部２２を備える。これら処理部２０〜２２は、予めＲＯＭ２にプログラムとして格納されて、制御部１がＲＯＭ２から対応のプログラムを読出すことにより起動されて実行される。これにより、これら処理部の機能が実現される。処理部２０〜２２の手順についての詳細は後述する。
【００１９】
図２には、図１の携帯型電話における変倍レンズ群１０を含む光学系とその周辺部分の概略構成が示される。図２を参照して、光学系は被写体からの反射光が入射する順に配置された、位置が固定の１群のレンズ１０１、自在に移動する変倍レンズ群１０に対応の２群のレンズ１０２および３群のレンズ１０３を有し、これらレンズ群を通過した被写体からの反射光による被写体像はＣＣＤ４０の受光面に結像するので、結像した被写体像の信号はＣＣＤ４０から読出されてＤＳＰ４１に与えられて、ＤＳＰ４１から画像データとして出力される。光学系に入射する光の光軸は１群〜３群のレンズ１０１〜１０３の各レンズの中心を通過する。
【００２０】
１群〜３群のレンズ１０１〜１０３に関連してホームポジションＨＰには図示されないフォトセンサが設けられている。フォトセンサは、レンズの位置を検出して検出信号を制御部１に出力する。この検出信号に基づき制御部１が何らかの要因でレンズの位置がずれたことを検出すると、基準位置（ホームポジションＨＰ）に基づき次回の撮影動作時に所定の基準の位置にレンズを戻すような制御信号をレンズ駆動回路１２に出力する。レンズ駆動回路１２は与えられた制御信号に従いモータ１１の回転（回転の量、速度および方向など）を制御する。
【００２１】
レンズ駆動回路１２から与えられた制御信号に従いモータ１１は回転駆動されるので、モータ１１の回転に連動して２群のレンズ１０２または３群のレンズ１０３は図示されない駆動軸を介して１群のレンズ１００とＣＣＤ４０の受光面間を移動する。ここでは説明を簡単にするために２群のレンズ１０２のみが移動し３群のレンズ１０３は移動しないと想定する。
【００２２】
このように、光学ズームについては、モータ１１が回転することで図示されない駆動軸のギアが連動して回転し、ギアに関連して設けられた２群のレンズ１０２が１群のレンズ１０１方向または３群のレンズ１０３方向に徐々に移動する。撮影時には移動を停止して静止した状態にしておかなければならない。したがって、撮影を行なうためにはレンズを静止した状態にする必要があるが、本実施の形態の光学系では、２群のレンズ１０２を停止させるポイントが倍率１倍と２倍に対応する位置にしか設けられていないので、１倍または２倍のように大まかにしか倍率を変更できないようになっている。すなわち、実際には２群のレンズ１０２自体はモータ１１の回転に連動して駆動軸を介してリニアに移動しているけれども、光学系モジュールのサイズなどによる制限のため、その移動を撮影のために止めるポイントを２箇所以上作り出すことができないので、本実施の形態に係る光学系では倍率１倍と２倍に相当する位置で２群のレンズ１０２を停止させるようにしている。なお、光学ズームの倍率はこのような１倍と２倍に限定されるものではない。
【００２３】
ここで、光学ズーム処理部２０による光学ズーム動作について説明する。ズームボタン１９で所望の倍率を指定できるが、光学ズームが選択されるときは倍率としては１倍または２倍を設定できる。光学ズームは、デジタルカメラのズーム機能の１つであって、通常のカメラと同様にＣＣＤ４０の受光面とレンズの間の焦点距離をそのとき指定されている倍率に基づき変化させることによって広角（縮小）と望遠（拡大）というように撮影倍率を切換える方式のことを言う。ＣＣＤ４０の受光面の中央部分で結像している被写体像の部分の画像データを拡大して補間処理を行なう「デジタルズーム」とは違い、画質の劣化は発生しない。
【００２４】
光学１倍モードから光学２倍モードに拡大（望遠）ズームする際の動作について説明する。光学ズーム処理部２０はそのとき指定されている倍率に基づき拡大ズームを行なうとき、レンズ駆動回路１２に対してモータ１１を２群のレンズ１０２が１群のレンズ１０１方向へ光学１倍から光学２倍の倍率になる位置まで移動するように駆動するための制御信号を送る。また、そのとき指定されている倍率に基づき光学２倍モードから光学１倍モードに広角ズームする際には、光学ズーム処理部２０は広角ズームを行なうための命令を受理すると、レンズ駆動回路１２に対してモータ１１を２群のレンズ１０２が３群のレンズ１０３の方向へ光学２倍から光学１倍の倍率になるまで移動するように駆動するための制御信号を送る。
【００２５】
図７（Ａ）と（Ｂ）には、光学ズームにおける２群のレンズ１０２の位置Ｐを用いて２群のレンズ１０２の移動に伴いＣＣＤ４０の受光面に結像する被写体像が示される。２群のレンズ１０２は図７（Ａ）の位置Ｐから図７（Ｂ）の位置Ｐにまで移動したとき、焦点距離が変化するので図７（Ｂ）のＣＣＤ４０の受光面の像は、図７（Ａ）に比較して拡大されて（ズーム処理されて）いる。
【００２６】
次に、デジタルズーム処理部２１の手順について説明する。デジタルカメラなどのズーム機能の１つとしてデジタルズームがある。ズームボタン１９で所望の倍率を指定できるが、デジタルズームが選択されるときは倍率としてはデジタルズーム処理部２１で処理可能な倍率を設定できる。デジタルズームにおいては、ＣＣＤ４０の受光面中央部分で結像した像の画像データを、そのとき指定されている倍率に基づき電子的なデータ処理により拡大、すなわち補間処理を行なうことによって広角／望遠という撮影倍率を切換えることができる。デジタルズームではＣＣＤ４０の受光面中央付近の画素しか使用できないため、画質は減少する画素数にほぼ比例して低下すると言われている。デジタルズームのためのデータ処理手順は特許文献２などで周知の技術であるから、簡単に説明する。
【００２７】
まず、ＣＣＤ４０の受光面に結像した画像の中央部分の部分画像データをトリミングして読出して一時メモリ６に格納し、一時メモリ６に格納された部分画像データを読出し標準の画像の大きさと同じ大きさとなるように拡大用メモリ７を用いて引伸ばしのデータ処理を施す。画像の引伸ばしでは、一時メモリ６から同一画素のデータを複数回読出し、隣接画素を埋めるように拡大用メモリ７に格納したり、または一時メモリ６のある画素のデータを読出して、該画素のデータを用いて所定演算処理して、演算結果データを拡大用メモリ７の該画素に隣接する複数画素に書込むように格納したりする。拡大用メモリ７に格納された画像データは読出されて表示用メモリ１８に格納されるので、ＬＣＤ１７にはデジタルズーム処理された画像が表示される。
【００２８】
本実施の形態では、混合ズーム処理部２２により混合ズームが行なわれる。混合ズームは、光学ズームにおいて１倍、２倍のように大まかにしか倍率を調整できない際に細かく変倍可能なデジタルズームを併用することにより、そのとき指定されている倍率に基づき１．２倍、１．４倍などのより細かい倍率についても画像の拡大を可能とするような機能を言う。ズームボタン１９で所望の倍率を指定できるが、混合ズームが選択されるときは倍率としては光学ズーム処理部２０とデジタルズーム処理部２１とを併用することで実現可能な倍率を設定できる。たとえば、光学１倍のズームを行ない、さらにデジタルズームで１．２倍の拡大を行なうことにより、１．２倍の画像を表示させることができる。また、光学１．２倍なども可能な場合においてはデジタル１．２倍を併用することにより、１．４４倍などのより細かい倍率を表現することが可能となる。
【００２９】
ここで混合ズームの利点について説明する。
【００３０】
光学ズームにおいて１倍、２倍のように大まかにしか倍率を調整できない際にはズームを行なう際に光学１倍→光学２倍と切換わり、１．２倍などの微妙な倍率を表現できないので、撮影時などに表示画像はいきなり２倍になってしまい、見た目上あまり好ましくない。そこで、本実施の形態の混合ズーム処理部２２により実現される混合ズームを採用することで、光学１倍→光学１倍×デジタル１．２倍→光学１倍×デジタル１．４倍というように、１．２倍の画像や１．４倍の画像を表示することが可能となり、表示される画像は緩やかに倍率が変化することになる。
【００３１】
図３を参照してズーム処理の概略を説明する。なお、ユーザは入力部１６を操作することで、予め光学ズームおよびデジタルズームのいずれかを選択できる。これらのズームが選択されていない場合には自動的に混合ズームが選択されているとする。また、ズームボタン１９を操作することによりユーザが所望の倍率が設定されると想定する。
【００３２】
まず、制御部１は、被写体の撮影時に、ユーザの入力部１６の操作内容に基づいて、光学ズームが設定されているか否かを判定する（ステップＳＴ（以下、単にＳＴと略す）１）。光学ズームに設定されていたと判定すると、ユーザがズームボタン１９を操作して予め指定した所望の倍率の画像データが出力されるように光学ズーム処理部２０により光学ズームが優先的に行なわれる（ＳＴ２）。ここで、‘光学ズームが優先的に行なわれる’ということは、光学ズームを初めに行い次にデジタルズームに切り替わることをいう。たとえば、倍率が光学ズームで可能な最大の倍率に達したときに、未だ所望倍率に達していないときにはデジタルズームによるズーム処理が実行されることを言う。
【００３３】
光学ズームでないと判定されたときはデジタルズームが設定されているか否かを判定する（ＳＴ３）。デジタルズームが設定されていると判定したときは、ユーザがズームボタン１９を操作して予め指定した所望の倍率の画像データが出力されるようにデジタルズーム処理部２１によりデジタルズームが優先的に処理される（ＳＴ４）。ここで、‘デジタルズームが優先的に行なわれる’ということは、デジタルズームを初めに行い次に光学ズームに切り替わることをいう。たとえば、倍率がデジタルズームで可能な最大の倍率に達したときに、未だ所望倍率に達していないときには光学ズームによるズーム処理が実行されることを言う。
【００３４】
一方、入力部１６のユーザ操作が光学ズームでもなく、デジタルズームでもないことを指示している場合には、ユーザがズームボタン１９を操作して予め指定した所望の倍率の画像データが出力されるように混合ズーム処理部２２による混合ズーム優先処理（ＳＴ５）が実行される。
【００３５】
上述のズーム処理（ＳＴ２、ＳＴ４、ＳＴ５）により出力される画像データによる画像がＬＣＤ１７に表示されるので、ユーザは表示画像を確認してズームを終了するか否か判断する。所望の倍率が得られていると判断したときは入力部１６を操作してズームモードの終了を指示するが、そうでないときはズームボタン１９を操作して指定の倍率を変更する。
【００３６】
制御部１は入力部１６を介してズームモードの終了が指示されているか否かを判定する（ＳＴ６）。終了が指示されていると判定した場合には一連のズーム動作を終了するが、そうでないと判定したときは処理ＳＴ１に戻り、以降の処理を同様に実行する。
【００３７】
図４を参照して、光学ズーム処理部２０による光学ズーム優先処理（ＳＴ２）の手順について説明する。まず、光学ズーム処理部２０は、現在の２群のレンズ１０２の位置に基づき倍率（１倍または２倍）を検知して、検知した倍率と指示されている倍率とを比較してズームを行うか否かを判定する（ステップＳ（以下、単にＳと略す）２０）。比較結果、検知した倍率と指示されている倍率とが一致したときは、ズームを行なわないと判定して（Ｓ２０でＮＯ）、一連の処理を終了するが、一致しないときはズームを行うと判定する（Ｓ２０でＹＥＳ）。
【００３８】
Ｓ２０の比較結果、検知した倍率が指示倍率より小さければ望遠ズームと判定し（Ｓ２０で‘望遠’）、検知した倍率が指示倍率より大きければ広角ズームと判定する（Ｓ２０で‘広角’）。
【００３９】
望遠ズームと判定した時は、２群のレンズ１０２を被写体方向（１群のレンズ１０１方向）へ移動させるように、レンズ駆動回路１２に制御信号を送出して、レンズ駆動回路１２を介してモータ１１を制御する（Ｓ２３）。これにより画像は１倍から２倍に拡大される。広角ズームと判定した時は、２群のレンズ１０２を被写体方向（１群のレンズ１０１方向）とは反対方向（３群のレンズ１０３方向）へ移動させるように、レンズ駆動回路１２に制御信号を送出して、レンズ駆動回路１２を介してモータ１１を制御する（Ｓ２４）。これにより画像は２倍から１倍に縮小される。その後、図３の元の処理に戻る。
【００４０】
次に、図５を参照してデジタルズーム処理部２１によるデジタルズーム優先処理（ＳＴ４）の手順について説明する。デジタルズーム処理部２１は、前回指定されていたズーム倍率と今回指定されているズーム倍率とを比較してズームを行なうか否かを判定する（Ｓ４０）。両倍率が一致していればズームは行わないと判定して（Ｓ４０でＮＯ）、デジタルズーム処理を終了するが、そうでなければ（Ｓ４０でＹＥＳ）、今回指定されているズーム倍率の画像が表示されるように、デジタルズームを行なう（Ｓ４１）。つまり、ＣＣＤ４０の受光面に結像した像の中央部分を切抜き（トリミングし）一時メモリ６に一時的に格納し、それらを拡大用メモリ７に読出しながら、指定のズーム倍率に従い補間処理を行ない、画像を引伸ばす。
【００４１】
次に、混合ズーム処理部２２の処理手順について図６のフローチャートを参照し説明する。ここではデジタル倍率の値は１．２倍、１．４倍および１．６倍の３種類のいずれかであると想定しているので、指定可能なズーム倍率を１．２、１．４、１．６、２．４、２．８および３．２倍の６種類のいずれかであると想定するが、倍率の値や種類はこれに限定されない。混合ズーム処理部２２は、前回指定されていたズーム倍率と今回指定されているズーム倍率とを比較してズームを行なうか否かを判定する（Ｓ５０）。両倍率が一致していればズームは行わないと判定して（Ｓ５０でＮＯ）、混合ズーム処理を終了するが、そうでなければ（Ｓ５０でＹＥＳ）、今回指定されているズーム倍率の画像が表示されるように、以下のように混合ズームを行なう。
【００４２】
まず、指定されている倍率に基づき光学倍率の値とズーム倍率の値とを決める。例えば指示された倍率が１．２倍であれば光学倍率１倍（１．０倍）とデジタル倍率１．２倍の掛け合わせ（混合）で実現できると判断する。また、指示された倍率が２．８倍であれば光学倍率２倍（２．０倍）とデジタル倍率１．４倍の併用（混合）で実現できると判断する。
【００４３】
光学倍率が１．０倍と判断したときは（Ｓ５１で‘１．０'）、判断したデジタル倍率に従いデジタル１．２倍、１．４倍、１．６倍およびそれ以外のいずれのデジタルズーム処理をすべきか判定する（Ｓ５３、Ｓ５４、Ｓ５６）。そして判定した倍率で光学ズーム処理とデジタルズーム処理が図４と図５に示した手順で行われる（Ｓ５６、Ｓ５７、Ｓ５８）。その後は図３の元の処理に戻る。
【００４４】
光学倍率が２．０倍と判断したときは（Ｓ５１で‘２．０’）、判断したデジタル倍率に従いデジタル１．２倍、１．４倍および１．６倍のいずれのデジタルズーム処理をすべきか判定する（Ｓ５９、Ｓ６０、Ｓ６１）。そして判定した倍率で光学ズーム処理とデジタルズーム処理が図４と図５に示した手順で行われる（Ｓ６２、Ｓ６３、Ｓ６４）。その後は図３の元の処理に戻る。
【００４５】
図６では光学倍率を優先して決定しているが、デジタル倍率を優先的に決定し、その後に光学倍率を決定するようにしてもよい。
【００４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４７】
【図１】この発明の実施の形態に係る携帯型電話のブロック構成図である。
【図２】この発明の実施の形態に係る光学系を説明する図である。
【図３】この発明の実施の形態に係るズーム処理の概略フローチャートである。
【図４】この発明の実施の形態に係る光学ズーム処理の概略フローチャートである。
【図５】この発明の実施の形態に係るデジタルズーム処理の概略フローチャートである。
【図６】この発明の実施の形態に係る混合ズーム処理の概略フローチャートである。
【図７】（Ａ）と（Ｂ）は光学ズームを説明する図である。
【符号の説明】
【００４８】
１  制御部、２０  光学ズーム処理部、２１  デジタルズーム処理部、２２  混合ズーム処理部、４０  ＣＣＤ、１９  ズームボタン。
【図１】
2005341288.tif 000003
【図２】
2005341288.tif 000004
【図３】
2005341288.tif 000005
【図４】
2005341288.tif 000006
【図５】
2005341288.tif 000007
【図６】
2005341288.tif 000008
【図７】
2005341288.tif 000009